(57)【特許請求の範囲】
【請求項１】
物体側より像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、ズーミングに際して隣り合うレンズ群の間隔が変化するズームレンズであって、
広角端から望遠端へのズーミングに際して前記第１レンズ群が物体側へ移動し、
フォーカシングに際して前記第５レンズ群が移動し、
前記第５レンズ群の焦点距離をｆ５、前記第６レンズ群の焦点距離をｆ６、前記第３レンズ群の焦点距離をｆ３、前記第４レンズ群の焦点距離をｆ４とするとき、
０．１０＜ｆ５／ｆ６＜０．５
１．０＜ｆ４／ｆ３＜８．０
なる条件式を満たすことを特徴とするズームレンズ。
【請求項２】
１．２＜ｆ４／ｆ３＜８．０
なる条件式を満たすことを特徴とする請求項１に記載のズームレンズ。
【請求項３】
前記第５レンズ群は、３枚以下のレンズより構成されることを特徴とする請求項１または２に記載のズームレンズ。
【請求項４】
前記第５レンズ群は、正レンズと負レンズを有することを特徴とする請求項３に記載のズームレンズ。
【請求項５】
前記第５レンズ群は、物体側より像側へ順に配置された正レンズ、負レンズより構成されることを特徴とする請求項４に記載のズームレンズ。
【請求項６】
前記正レンズの材料のアッベ数をν５ｐ、前記負レンズの材料のアッベ数をν５ｎとするとき、
１．３＜ν５ｎ／ν５ｐ＜２．５
なる条件式を満たすことを特徴とする請求項５に記載のズームレンズ。
【請求項７】
広角端における全系の焦点距離をｆｗとするとき、
１．０＜−ｆ５／ｆｗ＜２．５
なる条件式を満たすことを特徴とする請求項１乃至６の何れか一項に記載のズームレンズ。
【請求項８】
広角端における全系の焦点距離をｆｗとするとき、
０．０＜−ｆｗ／ｆ６＜０．５
なる条件式を満たすことを特徴とする請求項１乃至７の何れか一項に記載のズームレンズ。
【請求項９】
前記第１レンズ群の焦点距離をｆ１、広角端における全系の焦点距離をｆｗとするとき、
３．５＜ｆ１／ｆｗ＜６．０
なる条件式を満たすことを特徴とする請求項１乃至８の何れか一項に記載のズームレンズ。
【請求項１０】
前記第２レンズ群の焦点距離をｆ２、広角端における全系の焦点距離をｆｗとするとき、
０．７＜−ｆ２／ｆｗ＜１．２
なる条件式を満たすことを特徴とする請求項１乃至９の何れか一項に記載のズームレンズ。
【請求項１１】
広角端における全系の焦点距離をｆｗとするとき、
１．０＜ｆ３／ｆｗ＜２．０
なる条件式を満たすことを特徴とする請求項１乃至１０の何れか一項に記載のズームレンズ。
【請求項１２】
広角端における全系の焦点距離をｆｗとするとき、
１．５＜ｆ４／ｆｗ＜３．５
なる条件式を満たすことを特徴とする請求項１乃至１０の何れか一項に記載のズームレンズ。
【請求項１３】
物体側より像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、ズーミングに際して隣り合うレンズ群の間隔が変化するズームレンズであって、
広角端から望遠端へのズーミングに際して前記第１レンズ群が物体側へ移動し、
フォーカシングに際して前記第５レンズ群が移動し、
前記第５レンズ群の焦点距離をｆ５、前記第６レンズ群の焦点距離をｆ６、前記第４レンズ群の焦点距離をｆ４、広角端における全系の焦点距離をｆｗとするとき、
０．０＜ｆ５／ｆ６＜０．５
１．５＜ｆ４／ｆｗ＜３．５
なる条件式を満たすことを特徴とするズームレンズ。
【請求項１４】
前記第６レンズ群の像側に配置された、ズーミングに際して不動である正の屈折力の第７レンズ群を有することを特徴とする請求項１乃至１３の何れか一項に記載のズームレンズ。
【請求項１５】
物体側より像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群、正の屈折力の第７レンズ群を有し、ズーミングに際して隣り合うレンズ群の間隔が変化するズームレンズであって、
広角端から望遠端へのズーミングに際して、前記第１レンズ群が物体側へ移動し、前記第７レンズ群が不動であり、
フォーカシングに際して前記第５レンズ群が移動し、
前記第５レンズ群の焦点距離をｆ５、前記第６レンズ群の焦点距離をｆ６とするとき、
０．０＜ｆ５／ｆ６＜０．５
なる条件式を満たすことを特徴とするズームレンズ。
【請求項１６】
請求項１乃至１５の何れか一項に記載のズームレンズと、該ズームレンズによって形成された像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラ、銀塩写真用カメラなどの撮像装置の撮像光学系として好適なものである。
【背景技術】
【０００２】
近年、撮像装置に用いる撮像光学系としては、高いズーム比（変倍比）で全ズーム範囲にわたり高い光学性能を有するズームレンズであることが要求されている。また、迅速なフォーカシング（合焦）を行うために、フォーカスレンズ群は小型軽量であること等が要求されている。
【０００３】
従来、最も物体側に正の屈折力のレンズ群を配置したポジティブリード型で比較的高ズーム比で物体側の第１レンズ群以外のレンズ群でフォーカシングを行ったズームレンズが知られている（特許文献１乃至３）。特許文献１では、物体側より像側へ順に、正、負、正、負、正の屈折力の第１レンズ群乃至第５レンズ群より構成され、ズーミングに際して隣り合うレンズ群の間隔が変化し、フォーカシングに際して、第２レンズ群が移動する変倍光学系を開示している。
【０００４】
また特許文献２では物体側より像側へ順に、正、負、正、正、負、正の屈折力の第１レンズ群乃至第６レンズ群より構成され、ズーミングに際して隣り合うレンズ群の間隔が変化しフォーカシングに際して第２レンズ群が移動するズームレンズを開示している。特許文献３では、物体側より像側へ順に、正、負、正、負、正の屈折力の第１レンズ群乃至第５レンズ群より構成され、ズーミングに際して隣り合うレンズ群の間隔が変化し、フォーカシングに際して第４レンズ群が移動するズームレンズを開示している。
【先行技術文献】
【特許文献】
【０００５】
【特許文献１】特開２０１０−０１５００３号公報
【特許文献２】特開２００５−２４２０１５号公報
【特許文献３】特開２０１５−０７２４９９号公報
【発明の概要】
【発明が解決しようとする課題】
【０００６】
撮像装置に用いるズームレンズには、レンズ系全体が小型であること、フォーカスレンズ群が小型軽量でフォーカシングが高速に行え、フォーカシングに際して静かで、しかも収差変動が少ないこと等が強く要望されている。一般にフォーカスレンズ群を小型軽量にするため、フォーカスレンズ群の構成レンズ枚数を少なくすると、フォーカスレンズ群の残存収差が大きくなる。このため、フォーカシングに際して収差変動が大きくなり、遠距離から近距離までの物体距離全般にわたり良好な光学性能を得ることが難しくなる。
【０００７】
一方、フォーカシングに際しての収差変動を小さくするためにフォーカスレンズ群のパワー（屈折力）を弱くするとフォーカシングに際しての移動量が大きくなり、レンズ全長が増大してくる。全系が小型で、フォーカシングが高速で、しかも静かに行え、かつフォーカシングに際しての収差変動の少ないズームレンズを得るには、レンズ群の数や各レンズ群の屈折力等を適切に設定することが重要になってくる。
【０００８】
特許文献１の変倍光学系は、高ズーム比を得やすい反面、各レンズ群の屈折力配置が必ずしも十分でないため、各レンズ群が製造誤差で位置ずれが発生した時の光学性能が低下しやすくなる傾向があった。特に第３レンズ群の製造誤差による光学性能の劣化が大きくなる傾向があった。特許文献２のズームレンズは、特許文献１の変倍光学系に対しては、正の屈折力が第３レンズ群と第４レンズ群で分かれていることにより、正の屈折力が分散され、製造誤差に対する光学性能の低下が小さくなる傾向がある。
【０００９】
しかしながら特許文献１、特許文献２ともに、フォーカシングを比較的大型で高重量の第２レンズ群で行っているため、動画撮影に要求される静音でのフォーカシングが難しい傾向があった。特許文献３では、小型軽量の第４レンズ群でフォーカシングを行っている。このため、静音でのフォーカシングが容易である。しかしながら屈折力配置が必ずしも十分でないため、高ズーム比化が難しい。また、特許文献１と同じように各レンズ群の製造誤差による光学性能の低下が大きくなる傾向があった。
【００１０】
本発明は、フォーカシングレンズ群が小型であり、フォーカシングに際の駆動音が静かで、かつ全系が小型で高ズーム比が容易に得られるズームレンズの提供を目的とする。
【課題を解決するための手段】
【００１１】
本発明の一側面に係るズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有し、ズーミングに際して隣り合うレンズ群の間隔が変化するズームレンズであって、
広角端から望遠端へのズーミングに際して前記第１レンズ群が物体側へ移動し、
フォーカシングに際して前記第５レンズ群が移動し、
前記第５レンズ群の焦点距離をｆ５、前記第６レンズ群の焦点距離をｆ６、前記第３レンズ群の焦点距離をｆ３、前記第４レンズ群の焦点距離をｆ４とするとき、
０．１０＜ｆ５／ｆ６＜０．５
１．０＜ｆ４／ｆ３＜８．０
なる条件式を満たすことを特徴としている。
【発明の効果】
【００１２】
本発明によれば、フォーカシングレンズ群が小型であり、フォーカシングに際の駆動音が静かで、かつ全系が小型で高ズーム比が容易に得られるズームレンズが得られる。
【図面の簡単な説明】
【００１３】
【図１】実施例１の無限遠物体に合焦時（フォーカス時）の広角端におけるレンズ断面図
【図２】（Ａ）、（Ｂ）実施例１の無限遠物体に合焦時の広角端、望遠端における収差図
【図３】実施例２の無限遠物体に合焦時（フォーカス時）の広角端におけるレンズ断面図
【図４】（Ａ）、（Ｂ）実施例２の無限遠物体に合焦時の広角端、望遠端における収差図
【図５】実施例３の無限遠物体に合焦時（フォーカス時）の広角端におけるレンズ断面図
【図６】（Ａ）、（Ｂ）実施例３の無限遠物体に合焦時の広角端、望遠端における収差図
【図７】実施例４の無限遠物体に合焦時（フォーカス時）の広角端におけるレンズ断面図
【図８】（Ａ）、（Ｂ）実施例４の無限遠物体に合焦時の広角端、望遠端における収差図
【図９】本発明のズームレンズを搭載したデジタル一眼レフカメラ（撮像装置）の要部概略図
【発明を実施するための形態】
【００１４】
以下に本発明の好ましい実施の形態を、添付の図面に基づいて説明する。本発明のズームレンズは、物体側より像側へ順に配置された、正の屈折力の第１レンズ群、負の屈折力の第２レンズ群、正の屈折力の第３レンズ群、正の屈折力の第４レンズ群、負の屈折力の第５レンズ群、負の屈折力の第６レンズ群を有する。広角端から望遠端へのズーミングに際して、第１レンズ群が物体側に移動し、ズーミングに際して隣り合うレンズ群の間隔が変化する。フォーカシングに際して第５レンズ群が移動する。
【００１５】
尚、本発明に係るレンズ群とは、ズーミングに際して光学方向のレンズ間隔の変化によって分けられるレンズ系をいう。
【００１６】
図１は実施例１の無限遠物体に合焦時（フォーカス時）の広角端（短焦点距離端）におけるレンズ断面図である。図２（Ａ）、（Ｂ）は実施例１の無限遠物体に合焦時の広角端、望遠端（長焦点距離端）における収差図である。実施例１はズーム比９．４１、Ｆナンバー３．４０〜６．４６のズームレンズである。図３は実施例２の無限遠物体に合焦時の広角端におけるレンズ断面図である。図４（Ａ）、（Ｂ）は実施例２の無限遠物体に合焦時の広角端、望遠端における収差図である。実施例２はズーム比８．４６、Ｆナンバー３．５１〜６．４７のズームレンズである。
【００１７】
図５は実施例３の無限遠物体に合焦時の広角端におけるレンズ断面図である。図６（Ａ）、（Ｂ）は実施例３の無限遠物体に合焦時の広角端、望遠端における収差図である。実施例３はズーム比８．４５、Ｆナンバー３．４２〜６．４７のズームレンズである。図７は実施例４の無限遠物体に合焦時の広角端におけるレンズ断面図である。図８（Ａ）、（Ｂ）は実施例４の無限遠物体に合焦時の広角端、望遠端における収差図である。実施例４はズーム比７．０５、Ｆナンバー３．７３〜６．４７のズームレンズである。
【００１８】
図９は本発明のズームレンズを搭載したデジタル一眼レフカメラ（撮像装置）の要部概略図である。
【００１９】
本発明のズームレンズはデジタルカメラ、ビデオカメラ、放送用カメラ、監視用カメラ、銀塩写真用カメラなどの撮像装置の撮像光学系として用いられる。尚、本発明のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。またｉを物体側からのレンズ群の順番とすると、Ｌｉは第ｉレンズ群である。
【００２０】
ＳＰは開口絞りである。ＩＰは像面である。像面ＩＰは、デジタルカメラやビデオカメラなどの撮像装置としてズームレンズを使用する際には、ＣＣＤセンサーやＣＭＯＳセンサなどの撮像素子（光電変換素子）の撮像面に相当する。銀塩フィルムカメラの撮像装置としてズームレンズを使用する際には、フィルム面に相当する。矢印は広角端から望遠端へのズーミングに際して、各レンズ群の移動軌跡を示している。Focusに関する矢印は無限遠から近距離へのフォーカシングに際してのフォーカスレンズ群の移動方向を示す。
【００２１】
球面収差図において、ＦｎｏはＦナンバーである。またｄはｄ線（波長５８７．６ｎｍ）、ｇはｇ線（波長４３５．８ｎｍ）である。非点収差図でＭはｄ線におけるメリディオナル像面、Ｓはｄ線におけるサジタル像面である。歪曲収差図はｄ線について示している。倍率色収差図はｇ線について示している。ωは半画角（度）である。
【００２２】
本発明のズームレンズは、物体側より像側へ順に配置された次のレンズ群を有する。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６を有する。負の屈折力の第６レンズ群Ｌ６の像側に正の屈折力の第７レンズ群Ｌ７を有することもある。広角端から望遠端へのズーミングに際し、第１レンズ群Ｌ１は物体側へ移動する。
【００２３】
ズーミングに際して隣り合うレンズ群の間隔が変化する。無限遠から近距離へのフォーカシングに際し、第５レンズ群Ｌ５（フォーカスレンズ群）は像側へ移動する。一般に、物体側より像側へ順に、正、負、正、負、正の屈折力の第１レンズ群乃至第５レンズ群より構成される５群ズームレンズは高ズーム比化が容易である。このように、正の屈折力のレンズ群と負の屈折力のレンズ群を交互に配置されたズームレンズは、各レンズ群の間隔の変化により高い変倍比を得やすい。しかしながら反面、製造誤差で各レンズ群の位置ずれが発生したとき、光学性能が大きく低下する傾向にある。
【００２４】
特に、軸上光線の入射高さが広角端と望遠端で共に高く、正の屈折力のレンズ群で最も屈折力（パワー）が強くなる第３レンズ群に製造誤差があると光学性能が大きく低下してくる。これに対して、物体側より像側へ順に配置された、正、負、正、正、負、正の屈折力の第１レンズ群乃至第６レンズ群より構成される６群ズームレンズは、５群ズームレンズと同様に高ズーム比化が容易である。この６群ズームレンズは、第３レンズ群と第４レンズ群を共に正の屈折力とし、正の屈折力を分散させることができる。これによれば製造誤差に対する光学性能の低下を小さくすることができる。
【００２５】
そこで本発明のズームレンズでは、まず、物体側より像側へ順に配置された、正、負、正、正、負の屈折力の第１レンズ群乃至第５レンズ群を有する構成としている。これにより、製造誤差に対する光学性能の低下が生じにくい構成とした。このとき第２レンズ群は大型、高重量となる。このため、フォーカシングを第２レンズ群で行うと、動画に適した静音駆動を実現することが困難となる。
【００２６】
前述した屈折力配置よりなる５群ズームレンズでは負の屈折力の第４レンズ群は比較的小型軽量となる。このため、５群ズームレンズにおいて、第４レンズ群でフォーカシングを行うと、動画に適した静音駆動の実現が容易となる。
【００２７】
一般的にフォーカシングをする際、フォーカスレンズ群のフォーカス敏感度（単位駆動当たりの像面移動量）が高過ぎると、駆動制御が非常に困難になる。前述した屈折力配置の、５群ズームレンズにおいて第４レンズ群で、フォーカシングを行うと、フォーカシング敏感度が高くなる傾向にあった。フォーカシング敏感度を低くするには、第４レンズ群の屈折力を緩める必要がある。そうなるとズーミングによる第４レンズ群の移動時の変倍効果が小さくなってしまい、高ズーム比化が困難になってくる。
【００２８】
そこで本発明では、負の屈折力の第５レンズ群Ｌ５を負の屈折力のレンズ群と負の屈折力のレンズ群の２つのレンズ群に分割した。そして物体側の負の屈折力の第５レンズ群Ｌ５でフォーカシングを行うことで、フォーカシング敏感度を下げつつ、２つの負の屈折力のレンズ群の合成屈折力を強くし、ズーミングに際しても高い変倍効果を得るようにしている。
【００２９】
具体的には、物体側より像側へ順に配置された、正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６を有する。そして広角端から望遠端へのズーミングに際して第１レンズ群Ｌ１が物体側に移動し、ズーミングに際して隣り合うレンズ群の間隔が変化するようにしている。そしてフォーカシングに際して第５レンズ群Ｌ５が移動するようにしている。
【００３０】
そして第５レンズ群Ｌ５の焦点距離をｆ５、第６レンズ群Ｌ６の焦点距離をｆ６とする。このとき、
０．０＜ｆ５／ｆ６＜０．５    ・・・（１）
なる条件式を満たしている。
【００３１】
本発明のズームレンズにおいて、ズーミングに際して第１レンズ群Ｌ１と第２レンズ群．Ｌ２の間隔を広げると、最も効率的に変倍効果が得られる。
【００３２】
このとき、第１レンズ群Ｌ１を固定にし、第２レンズ群Ｌ２を像側に移動することでも変倍効果は得ることはできる。これに対して、本発明においては、広角端から望遠端へのズーミングに際して第１レンズ群Ｌ１を物体側に移動している。第１レンズ群Ｌ１を物体側に移動する方式をとることにより、広角端におけるレンズ全長を短くしている。第２レンズ群Ｌ２を像側へ移動する方式では、第２レンズ群Ｌ２の移動スペースを予め確保する必要があるため、レンズ全長が長くなってくるのが、好ましくない。
【００３３】
条件式（１）は、第５レンズ群Ｌ５でフォーカシングをする際のフォーカス敏感度を適切にしつつ、第５レンズ群Ｌ５と第６レンズ群Ｌ６の合成レンズ群での変倍効果を高めるためのものである。条件式（１）の上限値を逸脱すると、第５レンズ群Ｌ５のフォーカス敏感度が緩くなり過ぎ、フォーカシングに際しての第５レンズ群Ｌ５の駆動量が大きくなり、全系が大型化してくる。更に第６レンズ群Ｌ６の屈折力が強過ぎて、ズーミングに際しての像面湾曲の変動が大きくなるため、好ましくない。
【００３４】
条件式（１）の下限値を逸脱すると、第５レンズ群Ｌ５のフォーカシング敏感度が高くなり過ぎ、フォーカシングに際しての第５レンズ群Ｌ５の駆動制御が困難になる。更に第６レンズ群Ｌ６の屈折力が弱過ぎて、十分な変倍効果が得られなくなるため、好ましくない。条件式（１）は、より好ましくは次の数値範囲とするのが良い。
０．１０＜ｆ５／ｆ６＜０．４５        ・・・（１Ａ）
【００３５】
次に本発明を実施するにあたり、より好ましい条件について説明する。第３レンズ群Ｌ３の焦点距離をｆ３、第４レンズ群Ｌ４の焦点距離をｆ４とする。第５レンズ群Ｌ５は、３枚以下のレンズより構成されるのが良い。第５レンズ群Ｌ５は、正レンズと負レンズを有するのが良い。第５レンズ群Ｌ５は、物体側より像側へ順に配置された正レンズＧ５ｐ、負レンズＧ５ｎより構成されるのが良い。このとき、正レンズＧ５ｐの材料のアッベ数をν５ｐ、負レンズＧ５ｎの材料のアッベ数をν５ｎとする。
【００３６】
広角端における全系の焦点距離をｆｗとする。第１レンズ群Ｌ１の焦点距離をｆ１とする。第２レンズ群Ｌ２の焦点距離をｆ２とする。このとき、次の条件式のうち１つ以上を満足するのが良い。
【００３７】
１．０＜ｆ４／ｆ３＜８．０        ・・・（２）
１．３＜ν５ｎ／ν５ｐ＜２．５    ・・・（３）
１．０＜−ｆ５／ｆｗ＜２．５      ・・・（４）
０．０＜−ｆｗ／ｆ６＜０．５      ・・・（５）
３．５＜ｆ１／ｆｗ＜６．０        ・・・（６）
０．７＜−ｆ２／ｆｗ＜１．２      ・・・（７）
１．０＜ｆ３／ｆｗ＜２．０        ・・・（８）
１．５＜ｆ４／ｆｗ＜３．５        ・・・（９）
【００３８】
次に前述の各条件式の技術的意味について説明する。条件式（２）は、第３レンズ群Ｌ３Ｌ３の正の屈折力と第４レンズ群Ｌ４の正の屈折力の屈折力配分を適切にし、正の屈折力のレンズ群の製造誤差による光学性能の低下を小さくするためのものである。条件式（２）の上限値を逸脱すると、第４レンズ群Ｌ４の屈折力が弱過ぎ、第３レンズ群Ｌ３の製造誤差による光学性能の低下が大きくなってしまう。条件式（２）の下限値を逸脱すると、第４レンズ群Ｌ４の正の屈折力が強過ぎ、第４レンズ群Ｌ４の製造誤差による光学性能の低下が大きくなってしまう。
【００３９】
条件式（２）は、より好ましくは、次の数値範囲とするのが良い。
１．２＜ｆ４／ｆ３＜２．５      ・・・（２Ａ）
【００４０】
次に、第５レンズ群Ｌ５は、３枚以下のレンズで構成されるのが良い。これによればフォーカシング用の第５レンズ群Ｌ５を小型軽量化でき、静音駆動できるため好ましい。
【００４１】
更には、第５レンズ群Ｌ５は正レンズと負レンズを有するのが良い。これによれば、フォーカシングに際しての収差変動の補償がしやすくなり、好ましい。更には、第５レンズ群Ｌ５は物体側より像側へ順に、正レンズＧ５ｐ、負レンズＧ５ｎの順に配置するのが良い。これによれば、軸上光線の入射高が高い物体側に正レンズＧ５ｐが配置され、フォーカシングに際して球面収差や軸上色収差の変動の補償がしやすくなるため、より好ましい。
【００４２】
条件式（３）は、第５レンズ群Ｌ５のフォーカシングによる、軸上色収差の変動を良好に補償するためのものである。条件式（３）の下限値を逸脱すると、フォーカシングに際しての正レンズＧ５ｐでの軸上色収差の補償効果が小さくなるため好ましくない。条件式（３）の上限値を逸脱するような低分散材料は、比較的、材料の中では屈折率が小さくなってしまうため、非点収差が増大するため好ましくない。条件式（３）は、より好ましくは次の数値範囲とするのが良い。
１．４＜ν５ｎ／ν５ｐ＜２．２    ・・・（３Ａ）
【００４３】
条件式（４）は、第５レンズ群Ｌ５でフォーカシングをする際のフォーカス敏感度を適切にするためのものである。条件式（４）の上限値を逸脱すると、第５レンズ群Ｌ５のフォーカス敏感度が緩くなり過ぎ、フォーカシングに際しての駆動量が大きくなり、全系が大型化するため、好ましくない。条件式（４）の下限値を逸脱すると、第５レンズ群Ｌ５のフォーカシング敏感度が高くなり過ぎ、フォーカシングに際しての駆動制御が困難になるため、好ましくない。条件式（４）は、より好ましくは次の数値範囲とするのが良い。
１．０５＜−ｆ５／ｆｗ＜２．１０      ・・・（４Ａ）
【００４４】
条件式（５）は、第６レンズ群Ｌ６の負の屈折力を適切にし、第５レンズ群Ｌ５と第６レンズ群Ｌ６の合成レンズ群での変倍効果を効果的に得るためのものである。条件式（５）の下限値を下回ると、第６レンズ群Ｌ６の負の屈折力が弱過ぎ（負の屈折力の絶対値が小さくなりすぎ）、変倍効果が弱まるため、好ましくない。条件式（５）の上限値を上回ると、第６レンズ群Ｌ６の負の屈折力が強すぎ（負の屈折力の絶対値が大きくなりすぎ）、変倍時の像面湾曲の変動が大きくなり、好ましくない。条件式（５）は、より好ましくは次の数値範囲とするのが良い。
０．０５＜−ｆｗ／ｆ６＜０．３０    ・・・（５Ａ）
【００４５】
条件式（６）、（７）、（８）、（９）は、第１レンズ群Ｌ１、第２レンズ群Ｌ２、第３レンズ群Ｌ３、第４レンズ群Ｌ４の各レンズ群の屈折力を最適にし、ズーミングに際しての収差変動を抑えつつ、全系の小型化を図るためのものである。
【００４６】
条件式（６）の上限値を逸脱すると、第１レンズ群Ｌ１の正の屈折力が弱すぎて、高ズーム比化が困難になる。条件式（６）の下限値を逸脱すると、第１レンズ群Ｌ１の正の屈折力が強すぎて、ズーミングに際して球面収差の変動が大きくなるため好ましくない。条件式（７）の上限値を逸脱すると、第２レンズ群Ｌ２の負の屈折力が弱過ぎて、高ズーム比化が困難になる。条件式（７）の下限値を逸脱すると、第２レンズ群Ｌ２の負の屈折力が強すぎて、広角端において歪曲収差が増大し、またズーミングに際して非点収差の変動が増大するため、好ましくない。
【００４７】
条件式（８）の上限値を逸脱すると、第３レンズ群Ｌ３の正の屈折力が弱過ぎて、高ズーム比化が困難になる。条件式（８）の下限値を逸脱すると、第３レンズ群Ｌ３の正の屈折力が強過ぎて、ズーミングに際して球面収差の変動が大きくなるため、好ましくない。
【００４８】
条件式（９）の上限値を逸脱すると、第４レンズ群Ｌ４の正の屈折力が弱過ぎて、ズーミングに際して第４レンズ群Ｌ４の移動によるズーム比を十分に確保しづらくなるため、好ましくない。条件式（９）の下限値を逸脱すると、第４レンズ群Ｌ４の正の屈折力が強過ぎて、ズーミングに際して球面収差の変動が大きくなるため、好ましくない。条件式（６）乃至（９）は、より好ましくは、次の数値範囲とするのが良い。
【００４９】
４．０＜ｆ１／ｆｗ＜５．５      ・・・（６Ａ）
０．８＜−ｆ２／ｆｗ＜１．０    ・・・（７Ａ）
１．３＜ｆ３／ｆｗ＜１．８      ・・・（８Ａ）
１．８＜ｆ４／ｆｗ＜２．８      ・・・（９Ａ）
【００５０】
次に、各実施例におけるレンズ構成について説明する。実施例１のズームレンズは、物体側より像側へ順に配置された、次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６、正の屈折力の第７レンズ群Ｌ７より成る。実施例１は７群ズームレンズである。
【００５１】
広角端から望遠端へのズーミングに際し、第１レンズ群Ｌ１、第２レンズ群Ｌ２、第３レンズ群Ｌ３、第４レンズ群Ｌ４、第５レンズ群Ｌ５、第６レンズ群Ｌ６が物体側に移動する。第７レンズ群Ｌ７はズーミングに際して不動である。広角端に比べて望遠端において、第１レンズ群Ｌ１と第２レンズ群Ｌ２の間隔が広く、第２レンズ群Ｌ２と第３レンズ群Ｌ３の間隔が狭く、第３レンズ群Ｌ３と第４レンズ群Ｌ４の間隔が狭まる。
【００５２】
更に、第４レンズ群Ｌ４と第５レンズ群Ｌ５の間隔が広く、第５レンズ群Ｌ５と第６レンズ群Ｌ６の間隔は変化せず、第６レンズ群Ｌ６と第７レンズ群Ｌ７の間隔が広くなる。無限遠から近距離へのフォーカシングに際して第５レンズ群Ｌ５が像側に移動する。第５レンズ群Ｌ５と第６レンズ群Ｌ６の屈折力が、条件式（１）、（４）、（５）を満たすことで、フォーカス敏感度を適切に保ちつつ、変倍効果を高めている。
【００５３】
また、第５レンズ群Ｌ５は物体側より像側へ順に、正レンズＧ５ｐ、負レンズＧ５ｎより成り、かつ条件式（３）を満たしており、フォーカシングに際しての球面収差と軸上色収差の変動を良好に補正している。また、第３レンズ群Ｌ３の屈折力と第４レンズ群Ｌ４の屈折力が条件式（２）を満たすことで、正の屈折力が適切に分散され、製造誤差による光学性能の低下を軽減している。また、本実施例では、第４レンズ群Ｌ４を光軸に対して垂直方向の成分を持つように移動することで像ぶれ補正（防振）を行っている。
【００５４】
実施例２のズームレンズは、レンズ群の数、各レンズ群の屈折力の符号等のズームタイプは実施例１と同じである。広角端から望遠端へのズーミングに際し、第１レンズ群Ｌ１、第２レンズ群Ｌ２、第３レンズ群Ｌ３、第４レンズ群Ｌ４、第５レンズ群Ｌ５、第６レンズ群Ｌ６が物体側に移動する。第７レンズ群Ｌ７はズーミングに際して不動である。広角端に比べて望遠端における各レンズ群の間隔変化は実施例１と同じである。各レンズ群の光学作用も実施例１と同じである。
【００５５】
実施例３のズームレンズにおけるズームタイプは実施例１と同じである。実施例３では広角端から望遠譚へのズーミングに際し、第１レンズ群Ｌ１、第３レンズ群Ｌ３、第４レンズ群Ｌ４、第５レンズ群Ｌ５、第６レンズ群Ｌ６が物体側に移動する。第２レンズ群Ｌ２は物体側に凸状の軌跡を描きながら物体側に移動する。
【００５６】
広角端に比べて望遠端において、第１レンズ群Ｌ１と第２レンズ群Ｌ２の間隔が広まり、第２レンズ群Ｌ２と第３レンズ群Ｌ３の間隔が狭く、第３レンズ群Ｌ３と第４レンズ群Ｌ４の間隔が狭い。第４レンズ群Ｌ４と第５レンズ群Ｌ５の間隔が広く、第５レンズ群Ｌ５と第６レンズ群Ｌ６の間隔が狭く、第６レンズ群Ｌ６と第７レンズ群Ｌ７の間隔が広くなる。各レンズ群の光学作用は実施例１と同じである。
【００５７】
実施例４のズームレンズは、物体側より像側へ順に配置された、次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、負の屈折力の第５レンズ群Ｌ５、負の屈折力の第６レンズ群Ｌ６より成る。実施例４は６群ズームレンズである。広角端から望遠端へのズーミングに際し、第１レンズ群Ｌ１、第３レンズ群Ｌ３、第４レンズ群Ｌ４、第５レンズ群Ｌ５、第６レンズ群Ｌ６が物体側に移動する。第２レンズ群Ｌ２は像側に凸状を描きながら物体側に移動している。
【００５８】
広角端に比べて望遠端において第１レンズ群Ｌ１と第２レンズ群Ｌ２の間隔が広く、第２レンズ群Ｌ２と第３レンズ群Ｌ３の間隔が狭く、第３レンズ群Ｌ３と第４レンズ群Ｌ４の間隔が狭く、第４レンズ群Ｌ４と第５レンズ群Ｌ５の間隔が狭い。第５レンズ群Ｌ５と第６レンズ群Ｌ６の間隔が広い。第１レンズ群Ｌ１乃至第６レンズ群Ｌ６の各レンズ群の光学作用は実施例１と同じである。
【００５９】
図９に、本発明の撮像装置の一例としての一眼レフカメラについて説明する。図９において１０は実施例１乃至４のいずれか１つのズームレンズ１を有する交換レンズである。ズームレンズ１は保持部材である鏡筒２に保持されている。２０はカメラ本体であり、交換レンズ１０からの光束を上方に反射するクイックリターンミラー３、交換レンズ１０の像形成装置に配置された焦点板４より構成されている。更に焦点板４に形成された逆像を正立像に変換するペンタダハプリズム５、その正立像を観察するための接眼レンズ６などによって構成されている。
【００６０】
７は感光面であり、ＣＣＤセンサーやＣＭＯＳセンサー等のズームレンズによって形成される像を受光する撮像素子（光電変換素子）や銀塩フィルムが配置される。撮像時にはクイックリターンミラー３が光路から退避して、感光面７上に交換レンズ１０によって像が形成される。実施例１乃至４にて説明した利益は本実施例に開示したような撮像装置において効果的に享受される。撮像装置としてクイックリターンミラー３のないミラーレスの一眼レフカメラにも同様に適用できる。
【００６１】
以上、本発明の好ましい撮像光学系の実施例について説明したが、本発明はこれらの実施例に限定されないことは言うまでもなく、その要旨の範囲内で種々の変形及び変更が可能である。
【００６２】
以下、実施例１乃至４の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面係数は光軸方向にＸ軸、光軸と垂直方向にＨ軸、光の進行方向を正とし、Ｒを近軸曲率半径、Ｋを円錐定数、Ａ４、Ａ６、Ａ８、Ａ１０を各々非球面係数としたとき、
【００６３】
【数１】
0006742798.tif 000002
【００６４】
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式と数値データとの関係を表１に示す。
【００６５】
（数値データ１）
単位 mm
面データ
面番号       r        d      nd         νd       有効径
1        198.873    1.50   1.91082    35.3       41.97
2         40.323    7.14   1.49700    81.5       37.84
3       -264.154    0.15                         36.51
4         46.385    4.93   1.76385    48.5       34.01
5       -673.110  (可変)                         33.51
6        271.155    1.10   1.88300    40.8       22.30
7         12.848    5.33                         17.35
8        -21.984    0.90   1.77250    49.6       17.20
9        185.815    0.15                         17.29
10         32.682    4.98   1.76182    26.5       17.43
11        -21.267    0.37                         17.09
12        -17.949    0.80   1.77250    49.6       17.09
13        -51.928  (可変)                         17.07
14(絞り)    ∞       1.00                         13.74
15*        11.578    4.75   1.58313    59.4       15.02
16*       -80.796    1.54                         14.38
17         36.810    0.80   1.88300    40.8       13.03
18          8.199    4.39   1.49700    81.5       11.75
19       -163.069  (可変)                         11.56
20         35.246    3.44   1.80610    33.3       11.23
21        -13.251    0.70   1.84666    23.8       11.00
22       -116.680  (可変)                         10.84
23        134.572    1.80   1.78472    25.7       10.93
24        -30.547    0.15                         10.93
25        -37.012    0.70   1.88300    40.8       10.87
26         17.298  (可変)                         10.88
27*       -38.909    1.40   1.52996    55.8       14.32
28*       -78.739  (可変)                         15.64
29        -54.752    3.77   1.48749    70.2       25.34
30        -24.401                                 26.02
【００６６】
非球面データ
第15面
K = 0.00000e+000  A 4=-4.51435e-005  A 6= 3.49602e-009  A 8=-3.37383e-009  A10= 1.18237e-011  
第16面
K = 0.00000e+000  A 4= 3.21894e-005  A 6= 2.02765e-007  A 8=-4.59069e-009  A10= 4.09901e-011  
第27面
K = 0.00000e+000  A 4=-2.43806e-004  A 6=-8.65291e-007  A 8= 1.39952e-008  A10=-5.71046e-011  
第28面
K = 0.00000e+000  A 4=-1.91852e-004  A 6=-2.19312e-007  A 8= 9.88639e-009  A10=-2.84875e-011  
【００６７】
各種データ
ズーム比     9.41 
広角     中間     望遠
焦点距離      15.45    49.96   145.34  
Fナンバー      3.40     5.69     6.46  
半画角（度）  38.52    13.83     4.84  
像高          12.30    12.30    12.30  
レンズ全長   103.56   119.51   145.46  
BF            10.50    10.50    10.50  
d 5            0.90    14.60    39.65  
d13           26.78     8.35     2.01  
d19            3.00     3.72     1.41  
d22            1.51     4.85     3.11  
d26            8.08     4.02     8.08  
d28            1.00    21.71    28.95  
【００６８】
ズームレンズ群データ
群  始面    焦点距離  レンズ構成長  前側主点位置  後側主点位置
1    1      70.12        13.71         7.46         -0.90
2    6     -13.84        13.64         0.61         -9.92
3   14      23.66        12.48        -0.78         -9.19
4   20      37.27         4.14         0.40         -1.90
5   23     -23.48         2.65         1.87          0.32
6   27    -146.93         1.40        -0.90         -1.83
7   29      86.77         3.77         4.39          1.96
単レンズデータ
レンズ  始面  焦点距離
1       1    -55.78
2       2     70.94
3       4     56.98
4       6    -15.30
5       8    -25.40
6      10     17.62
7      12    -35.88
8      15     17.70
9      17    -12.11
10      18     15.84
11      20     12.34
12      21    -17.71
13      23     31.88
14      25    -13.27
15      27   -146.93
16      29     86.77
【００６９】
（数値データ２）
単位 mm
面データ
面番号       r        d      nd         νd       有効径
1        182.490    1.50   1.91082    35.3       41.81
2         40.390    6.96   1.49700    81.5       37.73
3       -334.389    0.15                         36.44
4         46.123    5.37   1.76385    48.5       36.28
5      -1009.243  (可変)                         35.77
6        188.791    1.10   1.83481    42.7       21.39
7         12.282    4.86                         16.53
8        -23.669    0.90   1.88300    40.8       16.36
9        117.175    0.68                         16.31
10         32.609    5.80   1.78472    25.7       16.42
11        -22.439    0.41                         15.92
12        -17.879    0.80   1.77250    49.6       15.92
13        -48.031  (可変)                         15.96
14(絞り)    ∞       1.00                         13.20
15*        11.948    4.15   1.58313    59.4       14.36
16*      -181.947    2.21                         13.84
17         43.363    0.80   1.88300    40.8       12.60
18          8.701    4.16   1.49700    81.5       11.63
19        -50.521  (可変)                         11.57
20         28.134    3.07   1.63854    55.4       11.22
21        -21.933    0.70   1.90366    31.3       11.04
22        -55.997  (可変)                         11.13
23         64.637    1.44   1.85478    24.8       11.27
24       1932.258    0.15                         11.21
25        189.424    0.70   1.77250    49.6       11.19
26         14.844  (可変)                         11.09
27*       -16.820    1.40   1.52996    55.8       14.29
28*       -28.684  (可変)                         15.59
29        -54.143    3.81   1.51633    64.1       25.29
30        -24.120                                 26.00
【００７０】
非球面データ
第15面
K = 0.00000e+000  A 4=-3.45334e-005  A 6=-1.26495e-008  A 8=-1.60788e-009  A10= 4.51942e-012  
第16面
K = 0.00000e+000  A 4= 3.00782e-005  A 6= 1.18316e-007  A 8=-2.15861e-009  A10= 2.03658e-011  
第27面
K = 0.00000e+000  A 4= 3.18319e-005  A 6=-2.00662e-007  A 8=-5.37809e-009  A10= 1.18688e-010  
第28面
K = 0.00000e+000  A 4= 5.01150e-005  A 6=-2.76469e-007  A 8=-3.38645e-010  A10= 3.46028e-011  
【００７１】
各種データ
ズーム比      8.45 
広角     中間     望遠
焦点距離      15.45    50.00   130.49  
Fナンバー      3.51     5.82     6.47  
半画角（度）  38.52    13.82     5.38  
像高          12.30    12.30    12.30  
レンズ全長   103.56   120.68   145.50  
BF            10.52    10.52    10.52  
d 5            0.90    15.27    39.37  
d13           24.90     6.92     2.00  
d19            3.87     3.61     1.87  
d22            1.60     5.74     3.60  
d26            8.57     4.68     8.57  
d28            1.11    21.81    27.47  
【００７２】
ズームレンズ群データ
群  始面    焦点距離  レンズ構成長  前側主点位置  後側主点位置
1    1      71.68        13.98         7.14         -1.38
2    6     -13.58        14.55         0.57        -10.64
3   14      24.45        12.32        -0.03         -8.97
4   20      37.72         3.77         0.51         -1.76
5   23     -29.20         2.29         1.90          0.55
6   27     -80.00         1.40        -1.35         -2.31
7   29      80.76         3.81         4.34          1.93
単レンズデータ
レンズ  始面  焦点距離
1       1    -57.24
2       2     72.96
3       4     57.87
4       6    -15.78
5       8    -22.23
6      10     17.76
7      12    -37.30
8      15     19.38
9      17    -12.46
10      18     15.29
11      20     19.77
12      21    -40.29
13      23     78.21
14      25    -20.89
15      27    -80.00
16      29     80.76
【００７３】
（数値データ３）
単位 mm
面データ
面番号       r        d      nd         νd       有効径
1        143.012    1.50   1.90366    31.3       41.34
2         50.382    5.98   1.49700    81.5       38.12
3       -382.473    0.15                         36.98
4         56.055    4.39   1.76385    48.5       36.29
5       1291.354  (可変)                         35.73
6       -455.313    1.10   1.83481    42.7       22.42
7         13.420    4.63                         17.63
8        -34.636    0.90   1.88300    40.8       17.51
9        125.903    2.64                         17.42
10         37.434    3.51   1.80809    22.8       17.60
11        -49.100    1.00   1.77250    49.6       17.29
12       -595.129  (可変)                         17.06
13(絞り)    ∞       1.00                         13.82
14*        12.342    3.97   1.58313    59.4       15.01
15*       122.636    2.80                         14.48
16         28.302    0.80   1.88300    40.8       13.25
17          8.731    4.54   1.49700    81.5       12.20
18        -72.467  (可変)                         12.12
19*        27.894    3.54   1.58313    59.4       11.89
20        -15.438    0.70   1.90366    31.3       11.43
21        -34.814  (可変)                         11.38
22         25.339    1.72   1.84666    23.8       10.88
23        204.434    0.70   1.88300    40.8       10.72
24         12.469  (可変)                         10.49
25        -15.510    0.70   1.77250    49.6       13.84
26        -22.064  (可変)                         14.65
27        -46.743    3.43   1.48749    70.2       24.37
28        -24.000                                 25.10
【００７４】
非球面データ
第14面
K = 0.00000e+000  A 4=-2.70831e-005  A 6=-3.24198e-008  A 8=-1.00892e-009  A10=-1.15926e-011  
第15面
K = 0.00000e+000  A 4= 2.19792e-005  A 6= 6.71481e-008  A 8=-1.64666e-009  A10= 1.16606e-013  
第19面
K = 0.00000e+000  A 4= 5.71463e-006  A 6= 7.53291e-008  A 8= 7.27883e-010  
【００７５】
各種データ
ズーム比      8.45 
広角     中間     望遠
焦点距離      15.45    50.00   130.51  
Fナンバー      3.42     5.75     6.47  
半画角（度）  38.52    13.82     5.38  
像高          12.30    12.30    12.30  
レンズ全長   103.56   121.86   145.49  
BF            11.00    11.00    11.00  
d 5            0.90    16.50    42.15  
d12           27.84     8.74     2.00  
d18            3.03     3.91     0.80  
d21            1.53     4.55     3.91  
d24            8.68     4.78     8.53  
d26            0.90    22.70    27.41  
【００７６】
ズームレンズ群データ
群  始面    焦点距離  レンズ構成長  前側主点位置  後側主点位置
1    1      78.93        12.02         4.98         -2.45
2    6     -14.72        13.77        -0.07        -11.83
3   13      25.83        13.10         0.09         -9.59
4   19      38.69         4.24         0.84         -1.83
5   22     -29.29         2.42         2.70          1.28
6   25     -70.88         0.70        -0.98         -1.39
7   27      96.42         3.43         4.51          2.32
単レンズデータ
レンズ  始面  焦点距離
1       1    -86.75
2       2     89.99
3       4     76.60
4       6    -15.60
5       8    -30.68
6      10     26.77
7      11    -69.33
8      14     23.23
9      16    -14.58
10      17     15.97
11      19     17.57
12      20    -31.23
13      22     34.01
14      23    -15.06
15      25    -70.88
16      27     96.42
【００７７】
（数値データ４）
単位 mm
面データ
面番号       r        d      nd         νd       有効径
1        106.598    1.50   1.91082    35.3       40.62
2         36.423    6.11   1.49700    81.5       36.53
3        253.154    0.15                         36.34
4         43.322    5.33   1.76385    48.5       36.42
5        977.649  (可変)                         35.90
6         97.697    1.10   1.83481    42.7       24.29
7         12.316    5.83                         18.72
8        -33.346    0.90   1.88300    40.8       18.62
9         84.377    0.87                         18.70
10         31.920    4.53   1.78472    25.7       19.17
11        -33.501    0.16                         18.94
12        -30.150    0.80   1.77250    49.6       18.94
13        -70.824  (可変)                         18.83
14(絞り)    ∞       1.00                         13.19
15*        11.376    4.22   1.58313    59.4       13.96
16*      -119.159    2.76                         13.34
17       -293.303    0.80   1.88300    40.8       11.67
18          8.787    4.17   1.49700    81.5       10.93
19        -26.291  (可変)                         11.05
20         26.902    2.83   1.69680    55.5       10.81
21        -30.073    0.70   1.90366    31.3       10.80
22       -117.954  (可変)                         10.88
23         36.458    2.10   1.80000    29.8       11.22
24        -31.416    0.22                         11.19
25        -27.170    0.70   1.77250    49.6       11.14
26*        14.304  (可変)                         11.10
27        604.082    0.70   1.83400    37.2       14.79
28         34.422    3.21                         15.32
29         22.568    3.98   1.48749    70.2       21.91
30         95.890                                 22.36
【００７８】
非球面データ
第15面
K = 0.00000e+000  A 4=-3.51251e-005  A 6=-4.07564e-008  A 8=-1.25007e-009  A10=-1.73201e-011  
第16面
K = 0.00000e+000  A 4= 2.75794e-005  A 6= 8.34718e-008  A 8=-2.04727e-009  A10= 3.94544e-012  
第26面
K = 0.00000e+000  A 4=-8.58392e-006  A 6=-7.04582e-008  A 8= 1.45526e-009  A10=-7.98802e-011  
【００７９】
各種データ
ズーム比      7.05 
広角     中間     望遠
焦点距離      18.50    50.00   130.44  
Fナンバー      3.73     5.31     6.47  
半画角（度）  36.44    15.28     5.98  
像高          13.66    13.66    13.66  
レンズ全長   104.55   112.29   146.47  
BF            10.50    19.69    37.01  
d 5            1.00    17.18    42.59  
d13           27.12     6.50     2.00  
d19            2.02     0.80     1.61  
d22            2.54     5.99     1.21  
d26            6.71     7.47     7.40  
【００８０】
ズームレンズ群データ
群  始面    焦点距離  レンズ構成長  前側主点位置  後側主点位置
1    1      81.59        13.09         5.26         -2.79
2    6     -17.34        14.19        -0.23        -12.17
3   14      28.63        12.95        -1.37        -10.80
4   20      37.60         3.53         0.16         -1.89
5   23     -30.94         3.02         3.26          1.34
6   27    -195.63         7.89        -7.42        -14.06
単レンズデータ
レンズ  始面  焦点距離
1       1    -61.37
2       2     84.81
3       4     59.20
4       6    -16.98
5       8    -26.97
6      10     21.48
7      12    -68.55
8      15     18.02
9      17     -9.65
10      18     13.80
11      20     20.80
12      21    -44.84
13      23     21.39
14      25    -12.04
15      27    -43.79
16      29     59.49
【００８１】
【表１】
0006742798.tif 000003
【符号の説明】
【００８２】
Ｌ１  第１レンズ群    Ｌ２  第２レンズ群    Ｌ３  第３レンズ群
Ｌ４  第４レンズ群    Ｌ５  第５レンズ群    Ｌ６  第６レンズ群
Ｌ７  第７レンズ群
【図１】
0006742798.tif 000004
【図２】
0006742798.tif 000005
【図３】
0006742798.tif 000006
【図４】
0006742798.tif 000007
【図５】
0006742798.tif 000008
【図６】
0006742798.tif 000009
【図７】
0006742798.tif 000010
【図８】
0006742798.tif 000011
【図９】
0006742798.tif 000012